(57)【要約】【課題】接続されたネットワーク機器に接続異常が発生した際、ユーザが即座に異常発生を知ることが可能な端末装置の提供を目的とする。【解決手段】通知先などの各種情報を設定する情報設定手段５と、接続されているネットワーク機器の情報および情報設定手段５によって設定された各種情報を記憶する情報記憶手段６と、ネットワークによる通信を制御する通信制御手段７と、接続されているネットワーク機器の接続状態を通信制御手段７を利用して監視する接続状態監視手段８と、接続状態監視手段８によってネットワーク機器の接続異常が検知された際に、情報記憶手段６に格納されている通知先に対して通信制御手段７を利用してネットワーク経由でデータを送信する通知制御手段９とを備える。【選択図】図２
2005130337.tif 000002
【特許請求の範囲】
【請求項１】
通知先などの各種情報を設定する情報設定手段と、接続されているネットワーク機器の情報および前記情報設定手段によって設定された各種情報を記憶する情報記憶手段と、ネットワークによる通信を制御する通信制御手段と、前記接続されているネットワーク機器の接続状態を前記通信制御手段を利用して監視する接続状態監視手段と、前記接続状態監視手段によって前記ネットワーク機器の接続異常が検知された際に前記情報記憶手段に格納されている通知先に対して前記通信制御手段を利用してネットワーク経由でデータを送信する通知制御手段とを備えたことを特徴とする端末装置。
【請求項２】
請求項１に記載の端末装置において、複数のネットワーク機器を接続可能であることを特徴とする端末装置。
【請求項３】
請求項２に記載の端末装置において、前記接続状態監視手段は、接続されている複数のネットワーク機器のうち、選択されたネットワーク機器に限って接続状態を監視することを特徴とする端末装置。
【請求項４】
請求項１乃至２に記載の端末装置において、前記通知制御手段は、複数の通知先に対してデータを送信可能であることを特徴とする端末装置。
【請求項５】
請求項４に記載の端末装置において、前記通知制御手段は、前記複数の通知先のうち、選択された通知先に限ってデータを送信することを特徴とする端末装置。
【請求項６】
請求項１乃至２に記載の端末装置において、前記通知制御手段は、切断を検知したネットワーク機器の識別子を含むデータを送信することを特徴とする端末装置。
【請求項７】
請求項２に記載の端末装置において、前記接続状態監視手段は、複数接続されているネットワーク機器のうち、いずれか１つのネットワーク機器の切断を検知した時点で、すべてのネットワーク機器の接続状態を確認することなく、前記通知制御手段により即座に通知先にデータを送信することを特徴とする端末装置。
【請求項８】
請求項２に記載の端末装置において、前記接続状態監視手段は、接続されている複数ネットワーク機器のうち、いずれか１つのネットワーク機器の切断を検知した場合でも、すべてのネットワーク機器の接続状態を確認した後で、通知制御手段により全てのネットワーク機器の状態を示すデータを通知先に送信することを特徴とする端末装置。
【請求項９】
請求項１乃至２に記載の端末装置において、前記接続状態監視手段は、接続状態を監視する対象となるネットワーク機器に対してＴＣＰ（Transmission Control Protocol）のＳＹＮパケットを送信し、それに対する応答が返ってくるかどうかをチェックすることで接続状態を監視することを特徴とする端末装置。
【請求項１０】
請求項１乃至２に記載の端末装置において、前記接続状態監視手段は、接続状態を監視する対象となるネットワーク機器に対してＩＣＭＰ（Internet Control Message Protocol）のＰＩＮＧ（Packet Internet Groper）を送信し、それに対する応答が返ってくるかどうかをチェックすることで接続状態を監視することを特徴とする端末装置。
【請求項１１】
請求項１乃至２に記載の端末装置において、前記接続状態監視手段は、ＡＲＰ（Address Resolution Protocol）要求パケットを送信し、それに対する応答が返ってくるかどうかをチェックすることで接続状態を監視することを特徴とする端末装置。
【請求項１２】
請求項１乃至２に記載の端末装置において、前記接続状態監視手段は、ネットワーク機器から一定周期でデータが送信されてくるかどうかをチェックすることで接続状態を監視することを特徴とする端末装置。
【請求項１３】
請求項１乃至２に記載の端末装置において、前記通知制御手段は通知先に対して電子メールによって通知することを特徴とする端末装置。
【発明の詳細な説明】
【技術分野】
【０００１】
本発明は、ネットワーク接続可能な端末装置に関するものである。
【背景技術】
【０００２】
近年、ネットワーク接続可能な「ＩＰ商品」と呼ばれるカテゴリの商品が各社から多数発売されている。このＩＰ商品には、家庭とインターネットをつなぐレジデンシャルゲートウェイや、例えば店舗や工事現場などの画像をネットワーク経由で配信し、遠隔地にあるパーソナルコンピュータから画像を閲覧することができるネットワークカメラなどがある。最近では、ネットワーク接続された複数のネットワークカメラの自動設定が可能なレジデンシャルゲートウェイなど、接続されているネットワーク機器の情報を管理できるIP商品も登場している。
【０００３】
このレジデンシャルゲートウェイのような各種ネットワーク機器の管理を行う端末装置においては、その端末装置に接続されているネットワークカメラやセンサーが侵入者などの異常を検知し、ネットワークカメラの映像をユーザのパーソナルコンピュータや携帯電話にメールで送信するシステムは存在している（例えば、非特許文献１参照）。
【非特許文献１】“ｉＢＯＸサーバでユビキタス・スマート・ライフを手に入れよう”、第２項「遠隔地にいながら異常状況が把握できる」、［online］、日本電算機株式会社（ＪＣＣ）、［２００３年９月２４日検索］、インターネット＜ＵＲＬ：http://www.jcc.co.jp/iboxserver/news/news-030304-4.html＞
【特許文献１】特開平７−７２９２３号公報
【特許文献２】特開２００２−２０４３１７号公報
【発明の開示】
【発明が解決しようとする課題】
【０００４】
しかしながら、端末装置に接続されているネットワークカメラなどのネットワーク機器自体が、盗難や故障、あるいは電源断などによりネットワークから切断された場合に、ユーザに対して通知する手段がなかった。従来、端末装置に接続されたネットワーク機器に接続異常が発生したことを知るためには、ユーザ自身がそのネットワーク機器にアクセスし、アクセス不能であることを確認することでしか判断できず、異常が発生した時点で即座に知ることが困難であるという問題があった。
【０００５】
そこで、本発明においては、接続されたネットワーク機器に接続異常が発生した際、ユーザが即座に異常発生を知ることが可能な端末装置を提供することを目的とする。
【課題を解決するための手段】
【０００６】
この課題を解決するために、本発明の端末装置は、通知先などの各種情報を設定する情報設定手段と、接続されているネットワーク機器の情報および情報設定手段によって設定された各種情報を記憶する情報記憶手段と、ネットワークによる通信を制御する通信制御手段と、接続されているネットワーク機器の接続状態を通信制御手段を利用して監視する接続状態監視手段と、接続状態監視手段によってネットワーク機器の接続異常が検知された際に、情報記憶手段に格納されている通知先に対して通信制御手段を利用してネットワーク経由でデータを送信する通知制御手段とを備える構成としたものである。
【発明の効果】
【０００７】
本発明によれば、端末装置に接続されているネットワーク機器に異常が発生した場合、ユーザは即座に異常発生を知ることが可能となる。
【発明を実施するための最良の形態】
【０００８】
本願の第１の発明は、通知先などの各種情報を設定する情報設定手段と、接続されているネットワーク機器の情報および情報設定手段によって設定された各種情報を記憶する情報記憶手段と、ネットワークによる通信を制御する通信制御手段と、接続されているネットワーク機器の接続状態を通信制御手段を利用して監視する接続状態監視手段と、接続状態監視手段によってネットワーク機器の接続異常が検知された際に情報記憶手段に格納されている通知先に対して通信制御手段を利用してネットワーク経由でデータを送信する通知制御手段とを備えた端末装置であり、端末装置に接続されているネットワーク機器に異常が発生した場合、ユーザは即座に異常発生を知ることができる。
【０００９】
第２の発明は、上記第１の発明に係る端末装置において、複数のネットワーク機器を接続可能であることを特徴とする端末装置であり、接続されている複数のネットワーク機器の切断を検知して通知することが可能となる。
【００１０】
第３の発明は、上記第２の発明に係る端末装置において、接続状態監視手段は、接続されている複数のネットワーク機器のうち、選択されたネットワーク機器に限って接続状態を監視することを特徴とする端末装置であり、例えば無線で接続されているため非常に接続状態が不安定なネットワーク機器が存在する場合、接続異常が発生したと誤って判断され、その都度通知される可能性があるが、そのようなネットワーク機器の接続状態を監視しないようにユーザが設定することで、誤判断による通知を防止することが可能となる。
【００１１】
第４の発明は、上記第１乃至第２の発明に係る端末装置において、通知制御手段は、複数の通知先に対してデータを送信可能であることを特徴とする端末装置であり、例えば携帯電話や職場のパーソナルコンピュータなど、複数の通知先に対して通知可能となるため、ユーザがネットワーク機器の切断に気付く確率が高まる。
【００１２】
第５の発明は、上記第４の発明に係る端末装置において、通知制御手段は、複数の通知先のうち、選択された通知先に限ってデータを送信することを特徴とする端末装置であり、通知不要な通知先（例えばデータの受信に通信費が必要な携帯電話など）にはデータを送信しないように設定することが可能となる。
【００１３】
第６の発明は、上記第１乃至第２の発明に係る端末装置において、通知制御手段は、切断を検知したネットワーク機器の識別子を含むデータを送信することを特徴とする端末装置であり、特に端末装置に複数のネットワーク機器が接続されている場合に、どのネットワーク機器が切断されたのかをユーザが簡単に認識可能となる。
【００１４】
第７の発明は、上記第２の発明に係る端末装置において、接続状態監視手段は、複数接続されているネットワーク機器のうち、いずれか１つのネットワーク機器の切断を検知した時点で、すべてのネットワーク機器の接続状態を確認することなく、通知制御手段により即座に通知先にデータを送信することを特徴とする端末装置であり、ユーザは即座に切断に気付くことが可能となる。
【００１５】
第８の発明は、上記第２の発明に係る端末装置において、接続状態監視手段は、接続されている複数ネットワーク機器のうち、いずれか１つのネットワーク機器の切断を検知した場合でも、すべてのネットワーク機器の接続状態を確認した後で、通知制御手段により全てのネットワーク機器の状態を示すデータを通知先に送信することを特徴とする端末装置により、複数のネットワーク機器が同時に切断された場合、１回の通知で複数ネットワーク機器の接続異常を通知可能となるため、通信費が必要な携帯電話などを利用するユーザにとっては、通信費を節約することが可能となる。
【００１６】
第９の発明は、上記第１乃至第２の発明に係る端末装置において、接続状態監視手段は
、接続状態を監視する対象となるネットワーク機器に対してＴＣＰのＳＹＮパケットを送信し、それに対する応答が返ってくるかどうかをチェックすることで接続状態を監視することを特徴とする端末装置であり、ＴＣＰを実装したネットワーク機器は全て接続状態監視対象とすることが可能となる。
【００１７】
第１０の発明は、上記第１乃至第２の発明に係る端末装置において、接続状態監視手段は、接続状態を監視する対象となるネットワーク機器に対してＩＣＭＰのＰＩＮＧを送信し、それに対する応答が返ってくるかどうかをチェックすることで接続状態を監視することを特徴とする端末装置であり、ＩＣＭＰ（ＰＩＮＧ）を実装したネットワーク機器は全て接続状態監視対象とすることが可能となる。
【００１８】
第１１の発明は、上記第１乃至第２の発明に係る端末装置において、接続状態監視手段は、ＡＲＰ要求パケットを送信し、それに対する応答が返ってくるかどうかをチェックすることで接続状態を監視することを特徴とする端末装置であり、ＡＲＰを実装したネットワーク機器は全て接続状態監視対象とすることが可能となる。
【００１９】
第１２の発明は、上記第１乃至第２の発明に係る端末装置において、接続状態監視手段は、ネットワーク機器から一定周期でデータが送信されてくるかどうかをチェックすることで接続状態を監視することを特徴とする端末装置であり、端末装置側から接続確認用データを送信することなく、接続状態を監視することが可能となる。
【００２０】
第１３の発明は、上記第１乃至第２の発明に係る端末装置において、通知制御手段は通知先に対して電子メールによって通知することを特徴とする端末装置であり、接続異常を検知した旨を、電子メールでユーザに通知することにより、電子メールの受信ができるパーソナルコンピュータや携帯電話などに対して簡単に接続異常を通知することが可能となるとともに、ユーザによる可視性を向上することが可能となる。
【００２１】
以下、本発明の実施の形態について、図面を用いて説明する。
【００２２】
（実施の形態１）
図１は、本発明の実施の形態における端末装置を用いたシステム構成の一例を示すシステム構成図である。
【００２３】
図１において、１は本発明の実施の形態における端末装置、２は端末装置１にネットワーク接続されているネットワーク機器、３はインターネットやイントラネットなどにより構成されるネットワーク、４はネットワーク３経由でデータを受信可能なパーソナルコンピュータや携帯電話などのデータ受信端末である。
【００２４】
ネットワーク機器２の電源断やネットワーク接続断が発生（イ）すると、端末装置１はその切断を検知（ロ）して、あらかじめ登録された通知先に対して、電子メール等によりデータを送信（ハ）する。ユーザは、端末装置１から送信されたデータを、ネットワーク３を介してデータ受信端末４で受信することで、端末装置１に接続されているネットワーク機器２に接続異常が発生したことを知ることができる。
【００２５】
図２は図１の端末装置１の機能構成を示す機能ブロック図である。
【００２６】
図２に示すように端末装置１は、ユーザが通知先などの情報を設定する情報設定手段５と、端末装置１に接続されているネットワーク機器２の情報（例えばＩＰアドレスや名前などの識別子）や、情報設定手段５によって設定された各種情報を記憶する情報記憶手段６と、ネットワーク３や接続されているネットワーク機器２などとのネットワークによる
通信を制御する通信制御手段７と、ネットワーク機器２の接続状態を、通信制御手段７を利用して監視する接続状態監視手段８と、接続状態監視手段８によってネットワーク機器２の切断が検知された際に、情報記憶手段６に格納されている通知先に対して通信制御手段７を利用してネットワーク３経由でデータを送信する通知制御手段９とを有する。
【００２７】
以下、端末装置１の動作について図３に従って説明する。
【００２８】
図３は、図１の端末装置がデータを送信するまでの手順を示すフローチャートである。
【００２９】
ステップＳ１では、接続状態監視手段８が、情報記憶手段６に記憶されている、端末装置１に接続されたネットワーク機器２の情報を読み出す。読み出す情報としては、例えばネットワーク機器２のＩＰアドレスなどが考えられる。
【００３０】
ステップＳ２では、接続状態監視手段８が、ステップＳ１において読み出された情報に従い、ネットワーク機器２が接続されているかどうかの確認を、通信制御手段７を用いて行う。この確認方法の一例として、確認用データをネットワーク機器２に対して送信する方法が存在する。この方法では、確認用データを送信して一定時間応答がなければ、ネットワーク機器２はネットワークから切断、あるいは電源が切られているものと判断することができる。
【００３１】
ステップＳ３では、接続状態監視手段８が、ステップＳ２においてネットワーク機器２の切断が検知されたかどうかの判断を行う。もし切断されていると判断された場合はステップＳ４へ、そうでない場合にはステップＳ１に戻る。
【００３２】
ステップＳ４では、通知制御手段９が、情報記憶手段６に記憶されている通知先に関する設定情報を読み出す。ステップＳ５では、通知制御手段９が、ステップＳ４において情報記憶手段６から読み出した通知先に対して、通信制御手段７を利用してネットワーク経由でデータを送信する。このような処理手順で送信されたデータを、ユーザはデータ受信端末４を用いて受信することで、ネットワーク機器２に異常が発生したことを知ることができる。
【００３３】
以上のように、本実施の形態における端末装置１によれば、端末装置１に接続されているネットワーク機器２に異常が発生した場合、ユーザは即座に異常発生を知ることができるという有利な効果が得られる。
【００３４】
なお、端末装置１に接続されるネットワーク機器２は単数、複数を問わない。特に、複数のネットワーク機器２を接続することにより、接続されている複数のネットワーク機器２の切断を検知して通知可能となるという有利な効果が得られる。
【００３５】
また、端末装置１に接続されるネットワーク機器２が複数である場合、接続状態監視手段８は、接続されている複数のネットワーク機器２のうち、ユーザによって選択されたネットワーク機器２に限って接続状態を監視する構成とすることにより、例えば無線で接続されているため非常に接続状態が不安定なネットワーク機器２が存在する場合、接続異常が発生したと誤って判断され、その都度通知される可能性があるが、そのようなネットワーク機器２の接続状態を監視しないようにユーザが設定することで、誤判断による通知を防止することができるという有利な効果が得られる。なお、ユーザによるネットワーク機器２の選択は、情報設定手段５により行う。
【００３６】
また、端末装置１に接続されるネットワーク機器２が複数である場合、接続状態監視手段８は、接続されている複数のネットワーク機器２のうち、いずれか１つのネットワーク
機器２の切断を検知した時点で、すべてのネットワーク機器２の接続状態を確認することなく、通知制御手段９により即座に通知先にデータを送信する構成とする。これにより、ユーザは即座に切断に気付くことができるという有利な効果が得られる。
【００３７】
また、端末装置１に接続されるネットワーク機器２が複数である場合、接続状態監視手段８は、接続されている複数のネットワーク機器２のうち、いずれか１つのネットワーク機器の切断を検知したときでも、すべてのネットワーク機器２の接続状態を確認した後で、通知制御手段９により全てのネットワーク機器２の状態を示すデータを通知先に送信する構成とする。これにより、複数のネットワーク機器２が同時に切断された場合、１回の通知で複数ネットワーク機器２の接続異常を通知可能となるため、通信費が必要な携帯電話などを利用するユーザにとっては、通信費を節約できるという有利な効果が得られる。
【００３８】
また、通知制御手段９が、複数の通知先に対してデータを送信可能であることにより、例えば携帯電話や職場のパーソナルコンピュータなど、複数の通知先に対して通知可能となるため、ユーザがネットワーク機器２の切断に気付く確率が高まるという有利な効果が得られる。さらに、通知制御手段９は、複数の通知先のうち、ユーザによって選択された通知先に限ってデータを送信することを特徴とすることにより、通知不要な通知先（例えばデータの受信に通信費が必要な携帯電話など）にはデータを送信しないように設定できるという有利な効果が得られる。
【００３９】
また、通知制御手段９が、切断を検知したネットワーク機器２の識別子（ＩＰアドレスや機器に付けた名前など）を含むデータを送信する構成とすることにより、特に端末装置１に複数のネットワーク機器２が接続されている場合に、どのネットワーク機器２が切断されたのかをユーザが簡単に認識可能となるという有利な効果が得られる。
【００４０】
なお、前述のステップＳ２において、接続状態監視手段８がネットワーク機器２の接続状態を監視する方法としては、端末装置１からネットワーク機器２に対してデータを送信してその応答を待つ方法と、ネットワーク機器２から一定周期でデータが送信されてくるかどうかをチェックする方法とが存在するが、そのどちら方法で実施することも可能である。特に、接続状態監視手段８が、ネットワーク機器２から一定周期でデータが送信されてくるかどうかをチェックすることで接続状態を監視する構成とすることにより、端末装置１から接続確認用データを送信することなく、接続状態の監視ができるという有利な効果が得られる。
【００４１】
また、ステップＳ２における、ネットワーク機器２が接続されているかどうかの確認手段として、接続状態監視手段８は、接続状態を監視する対象となるネットワーク機器２に対してＴＣＰのＳＹＮパケットを送信し、それに対する応答が返ってくるかどうかをチェックすることで接続状態を監視する構成とすることにより、ＴＣＰを実装したネットワーク機器は全て接続状態監視対象とすることができるという有利な効果が得られる。
【００４２】
また、ステップＳ２における、ネットワーク機器２が接続されているかどうかの確認手段として、接続状態監視手段８は、接続状態を監視する対象となるネットワーク機器２に対してＩＣＭＰのＰＩＮＧを送信し、それに対する応答が返ってくるかどうかをチェックすることで接続状態を監視する構成とすることにより、ＩＣＭＰ（ＰＩＮＧ）を実装したネットワーク機器は全て接続状態監視対象とすることができるという有利な効果が得られる。
【００４３】
また、ステップＳ２における、ネットワーク機器２が接続されているかどうかの確認手段として、接続状態監視手段８は、ＡＲＰ要求パケットを送信し、それに対する応答が返ってくるかどうかをチェックすることで接続状態を監視する構成とすることにより、ＡＲ
Ｐを実装したネットワーク機器は全て接続状態監視対象とすることができるという有利な効果が得られる。
【００４４】
なお、切断を検知した際に、通信制御手段が送信するデータは、電子メールやコマンド（データ受信端末４に対して送信されるＸＭＬ（eXtensible Markup Language）データやユーザ定義プロトコルデータ、ＨＴＭＬ（HyperText Markup Language）データなど）などのテキスト情報のほかに、音声や画像など、その種別を問わない。特に、通知制御手段９は通知先に対して電子メールによって通知する構成とする。これにより、接続異常を検知した旨を、電子メールでユーザに通知することにより、電子メールの受信ができるパーソナルコンピュータや携帯電話などに簡単に接続異常を通知可能となるとともに、ユーザによる可視性を向上することが可能となるという有利な効果が得られる。
【００４５】
なお、本実施の形態における端末装置は、ネットワーク端末およびネットワークと接続された構成としているが、その接続形態については、有線、無線を問わない。
【００４６】
また、本実施の形態における端末装置は、ネットワーク端末と接続されている構成としているが、その接続形態については、ケーブルや無線で端末装置と直接接続されていても、あるいはインターネットやイントラネットなどのネットワークを経由して接続されていてもよい。
【００４７】
さらに、本実施の形態における端末装置は、ネットワーク端末の接続異常を通知する際に通知先にデータを送信する構成としているが、そのデータについては、音声、テキストなど、種別を問わない。
【産業上の利用可能性】
【００４８】
本発明の端末装置は、端末装置に接続されているネットワーク機器の切断や電源断を検知して、ユーザに通知することにより、ユーザは即座に異常を知ることができるという利点がある。そのため、ネットワーク家電などの各種ネットワーク機器を管理するレジデンシャルゲートウェイやサーバ装置などに利用可能である。
【図面の簡単な説明】
【００４９】
【図１】本発明の実施の形態における端末装置を用いたシステム構成の一例を示すシステム構成図
【図２】図１の端末装置の機能構成を示す機能ブロック図
【図３】図１の端末装置がデータを送信するまでの手順を示すフローチャート
【符号の説明】
【００５０】
１    端末装置
２    ネットワーク機器
３    ネットワーク
４    データ受信端末
５    情報設定手段
６    情報記憶手段
７    通信制御手段
８    接続状態監視手段
９    通知制御手段
【図１】
2005130337.tif 000003
【図２】
2005130337.tif 000004
【図３】
2005130337.tif 000005